(57)【特許請求の範囲】
【請求項１】
動作プログラムや文字表を格納しているＲＯＭと、文字入力を行う際に操作されるテンキーと、前記テンキーによって選択された文字を表示するディスプレイと、各部の動作を制御するＣＰＵとを備える携帯用通信端末であって、
前記ＲＯＭは、文字の入力モードをカナ入力方式とする動作プログラムと、文字の入力モードをポケベル入力方式とする動作プログラムとを格納し、
さらに、前記カナ入力方式と前記ポケベル入力方式との何れかを選択する場合に操作される入力方式切替キーを備え、
前記ＣＰＵは、
前記入力方式切替キーにより、前記カナ入力方式が選択されると、前記テンキーに対応させた前記文字表を前記ディスプレイに表示させる機能と、
前記カナ入力方式とする動作プログラムに基づき、１回目に押された前記テンキーに対応する前記文字表のグループ内のすべての文字を表示させたグループを強調表示させた後、前記１回目に押された前記テンキーが続けて押される順に前記グループ内の文字を順に強調表示させる機能と、
前記入力方式切替キーにより、ポケベル入力方式が選択されると、前記テンキーに対応させた前記文字表を前記ディスプレイに表示させる機能と、
前記ポケベル入力方式とする動作プログラムに基づき、１回目に押された前記テンキーに対応する前記文字表のグループ内のすべての文字を表示させたグループを強調表示させた後、前記テンキーの何れかが押されると、それに対応した前記グループ内の文字を強調表示させる機能とを有している
ことを特徴とする携帯用通信端末。
【請求項２】
前記ＣＰＵは、前記テンキーが１回目に押されて前記グループ内の文字が選択されるまでの間に限り、前記グループのみを表示させる機能を有していることを特徴とする請求項１に記載の携帯用通信端末。
【請求項３】
前記ＣＰＵは、文字切替キーの操作に応じて、各種文字の文字表を前記ディスプレイに表示させる機能を有していることを特徴とする請求項１又は２に記載の携帯用通信端末。
【請求項４】
前記ＣＰＵは、前記グループ及び文字を色又は模様によって強調表示させる機能を有していることを特徴とする請求項１〜３の何れかに記載の携帯用通信端末。
【請求項５】
動作プログラムや文字表を格納しているＲＯＭと、文字入力を行う際に操作されるテンキーと、前記テンキーによって選択された文字を表示するディスプレイと、各部の動作を制御するＣＰＵとを備える携帯用通信端末における文字入力方法であって、
前記ＲＯＭに、文字の入力モードをカナ入力方式とする動作プログラムと、文字の入力モードをポケベル入力方式とする動作プログラムとが格納され、さらに、入力方式切替キーにより、前記カナ入力方式と前記ポケベル入力方式との何れかが選択されるようになっており、
前記入力方式切替キーにより、前記カナ入力方式が選択されると、前記テンキーに対応させた前記文字表を前記ディスプレイに表示させる工程と、
前記カナ入力方式とする動作プログラムに基づき、１回目に押された前記テンキーに対応する前記文字表のグループ内のすべての文字を表示させたグループを強調表示させた後、前記１回目に押された前記テンキーが続けて押される順に前記グループ内の文字を順に強調表示させる工程と、
前記入力方式切替キーにより、ポケベル入力方式が選択されると、前記テンキーに対応させた前記文字表を前記ディスプレイに表示させる工程と、
前記ポケベル入力方式とする動作プログラムに基づき、１回目に押された前記テンキーに対応する前記文字表のグループ内のすべての文字を表示させたグループを強調表示させた後、前記テンキーの何れかが押されると、それに対応した前記グループ内の文字を強調表示させる工程とを有している
ことを特徴とする携帯用通信端末の文字入力方法。
【請求項６】
前記テンキーが１回目に押されて前記グループ内の文字が選択されるまでの間に限り、前記グループのみを表示させる工程を有していることを特徴とする請求項５に記載の携帯用通信端末の文字入力方法。
【請求項７】
文字切替キーの操作に応じて、各種文字の文字表を前記ディスプレイに表示させる工程を有していることを特徴とする請求項５又は６に記載の携帯用通信端末。
【請求項８】
前記グループ及び文字を色又は模様によって強調表示させる工程を有していることを特徴とする請求項５〜７の何れかに記載の携帯用通信端末。
【請求項９】
請求項５〜８の何れかに記載の携帯用通信端末の文字入力方法を実行することを特徴とするプログラム。
【請求項１０】
請求項５〜８の何れかに記載の携帯用通信端末の文字入力方法を実行することを特徴とするプログラムが記録されていることを特徴とする記録媒体。
【発明の詳細な説明】
【０００１】
【発明の属する技術分野】
本発明は、キーの配置を暗記することなく文字入力を行う携帯用通信端末及びその文字入力方法に関する。
【０００２】
【従来の技術】
携帯用通信端末である携帯電話等での文字入力には、たとえばカナ入力方式とポケベル入力方式とがある。カナ入力方式は、あるキーを連続して押すことによって文字を選択するものである。ポケベル入力方式は、２回のキーの組み合わせによって文字を選択するものである。
【０００３】
ちなみに、たとえば「もくてき」という４文字を入力する場合、カナ入力方式では［７キー］×５回、［２キー］×３回、［４キー］×４回、［２キー］×２回の操作で入力することができる。ポケベル入力方式では、［７キー］、［５キー］、［２キー］、［３キー］、［４キー］、［４キー］、［２キー］、［２キー］の操作で入力することができる。
【０００４】
【発明が解決しようとする課題】
ところが、上述したカナ入力方式やポケベル入力方式では、キーの配置を暗記していないと、キー上に刻印されている文字を確認しながら文字を入力しなければならない。特に、カナ入力方式では、キーを押す回数を暗記していない場合、１回押す毎に表示される文字を確認しながら選択しなければならない。ポケベル入力方式では、２回目に押すキーの配置を暗記していない場合、文字を選択することができない。
【０００５】
本発明は、このような状況に鑑みてなされたものであり、キーの配置を暗記していなくても、文字入力を容易に行うことができる携帯用通信端末及びその文字入力方法を提供することができるようにするものである。
【０００６】
【課題を解決するための手段】
この発明の請求項１に記載の発明の要旨は、動作プログラムや文字表を格納しているＲＯＭと、文字入力を行う際に操作されるテンキーと、前記テンキーによって選択された文字を表示するディスプレイと、各部の動作を制御するＣＰＵとを備える携帯用通信端末であって、
前記ＲＯＭは、文字の入力モードをカナ入力方式とする動作プログラムと、文字の入力モードをポケベル入力方式とする動作プログラムとを格納し、
さらに、前記カナ入力方式と前記ポケベル入力方式との何れかを選択する場合に操作される入力方式切替キーを備え、
前記ＣＰＵは、
前記入力方式切替キーにより、前記カナ入力方式が選択されると、前記テンキーに対応させた前記文字表を前記ディスプレイに表示させる機能と、
前記カナ入力方式とする動作プログラムに基づき、１回目に押された前記テンキーに対応する前記文字表のグループ内のすべての文字を表示させたグループを強調表示させた後、前記１回目に押された前記テンキーが続けて押される順に前記グループ内の文字を順に強調表示させる機能と、
前記入力方式切替キーにより、ポケベル入力方式が選択されると、前記テンキーに対応させた前記文字表を前記ディスプレイに表示させる機能と、
前記ポケベル入力方式とする動作プログラムに基づき、１回目に押された前記テンキーに対応する前記文字表のグループ内のすべての文字を表示させたグループを強調表示させた後、前記テンキーの何れかが押されると、それに対応した前記グループ内の文字を強調表示させる機能とを有している
ことを特徴とする携帯用通信端末に存する。
また、この発明の請求項２に記載の発明の要旨は、前記ＣＰＵは、前記テンキーが１回目に押されて前記グループ内の文字が選択されるまでの間に限り、前記グループのみを表示させる機能を有していることを特徴とする請求項１に記載の携帯用通信端末に存する。
また、この発明の請求項３に記載の発明の要旨は、前記ＣＰＵは、文字切替キーの操作に応じて、各種文字の文字表を前記ディスプレイに表示させる機能を有していることを特徴とする請求項１又は２に記載の携帯用通信端末に存する。
また、この発明の請求項４に記載の発明の要旨は、前記ＣＰＵは、前記グループ及び文字を色又は模様によって強調表示させる機能を有していることを特徴とする請求項１〜３の何れかに記載の携帯用通信端末に存する。
また、この発明の請求項５に記載の発明の要旨は、動作プログラムや文字表を格納しているＲＯＭと、文字入力を行う際に操作されるテンキーと、前記テンキーによって選択された文字を表示するディスプレイと、各部の動作を制御するＣＰＵとを備える携帯用通信端末における文字入力方法であって、
前記ＲＯＭに、文字の入力モードをカナ入力方式とする動作プログラムと、文字の入力モードをポケベル入力方式とする動作プログラムとが格納され、さらに、入力方式切替キーにより、前記カナ入力方式と前記ポケベル入力方式との何れかが選択されるようになっており、
前記入力方式切替キーにより、前記カナ入力方式が選択されると、前記テンキーに対応させた前記文字表を前記ディスプレイに表示させる工程と、
前記カナ入力方式とする動作プログラムに基づき、１回目に押された前記テンキーに対応する前記文字表のグループ内のすべての文字を表示させたグループを強調表示させた後、前記１回目に押された前記テンキーが続けて押される順に前記グループ内の文字を順に強調表示させる工程と、
前記入力方式切替キーにより、ポケベル入力方式が選択されると、前記テンキーに対応させた前記文字表を前記ディスプレイに表示させる工程と、
前記ポケベル入力方式とする動作プログラムに基づき、１回目に押された前記テンキーに対応する前記文字表のグループ内のすべての文字を表示させたグループを強調表示させた後、前記テンキーの何れかが押されると、それに対応した前記グループ内の文字を強調表示させる工程とを有している
ことを特徴とする携帯用通信端末の文字入力方法に存する。
また、この発明の請求項６に記載の発明の要旨は、前記テンキーが１回目に押されて前記グループ内の文字が選択されるまでの間に限り、前記グループのみを表示させる工程を有していることを特徴とする請求項５に記載の携帯用通信端末の文字入力方法に存する。
また、この発明の請求項７に記載の発明の要旨は、文字切替キーの操作に応じて、各種文字の文字表を前記ディスプレイに表示させる工程を有していることを特徴とする請求項５又は６に記載の携帯用通信端末に存する。
また、この発明の請求項８に記載の発明の要旨は、前記グループ及び文字を色又は模様によって強調表示させる工程を有していることを特徴とする請求項５〜７の何れかに記載の携帯用通信端末に存する。
また、この発明の請求項９に記載の発明の要旨は、請求項５〜８の何れかに記載の携帯用通信端末の文字入力方法を実行することを特徴とするプログラムに存する。
また、この発明の請求項１０に記載の発明の要旨は、請求項５〜８の何れかに記載の携帯用通信端末の文字入力方法を実行することを特徴とするプログラムが記録されていることを特徴とする記録媒体に存する。
【０００７】
【発明の実施の形態】
以下、本発明の実施の形態について説明する。
【０００８】
図１は、本発明の携帯用通信端末の一実施の形態を示す図、図２〜図９は、図１の携帯用通信端末による文字入力方法を説明するための図、図１０は、図１の携帯用通信端末の他の文字入力方法を説明するための図である。
【０００９】
図１に示す携帯用通信端末は、たとえば携帯電話であり、ＣＰＵ１、ＲＯＭ２、ＲＡＭ３、文字切替キー４、テンキー５、入力方式切替キー６、ディスプレイ７を備えている。
【００１０】
ＣＰＵ１は、各部の動作を制御するものであるが、その詳細は後述する。ＲＯＭ２は、ＣＰＵ１の動作プログラムや文字表１０等を格納している。ＣＰＵ１の動作プログラムとしては、たとえば文字の入力モードをカナ入力方式とするプログラムや文字の入力モードをポケベル入力方式とするプログラムである。文字表１０には、図示のように、カナ文字に限らず、濁点文字、半濁点文字、英字、数字、半角数字、絵文字、記号等の他の文字を表すものも用意されている。
【００１１】
ＲＡＭ３には、ＣＰＵ１による演算結果が格納される。文字切替キー４は、カナ文字、濁点文字、半濁点文字、英字、数字、半角数字、絵文字、記号等の他の文字表１０に切替える際に操作されるものである。テンキー５は、文字入力等を行う際に操作されるものであるが、その詳細も後述する。ちなみに、携帯電話でのテンキー５は、［１キー］［２キー］［３キー］［４キー］［５キー］［６キー］［７キー］［８キー］［９キー］［０キー］を有している。
【００１２】
入力方式切替キー６は、カナ入力方式とポケベル入力方式との何れかを選択する場合に操作されるものである。ディスプレイ７には、テンキー５によって選択される文字の後述するグループ枠１０ａ及び文字枠１０ｂを強調させた文字表１０が表示されるが、その詳細も後述する。
【００１３】
次に、文字入力方法を図２により説明する。
【００１４】
まず、入力方式切替キー６の操作により、カナ入力方式とポケベル入力方式との何れかを選択することができる。ここで、カナ入力方式が選択されると（ステップ２０１）、ＣＰＵ１がカナ入力方式の動作プログラムをＲＯＭ２から読込むことにより、入力方式がカナ入力方式となる（ステップ２０２）。また、ＣＰＵ１は、ＲＯＭ２に格納されている図３に示すような文字表１０をディスプレイ７に表示させる（ステップ２０３）。ここで、文字表１０には、［あ］〜［わ］の各段のグループを示すグループ枠１０ａと、各々のグループ内の文字を示す文字枠１０ｂとが設けられている。
【００１５】
また、カナ入力方式では、［あ］の段のグループはテンキー５の［１キー］に対応し、［か］の段のグループはテンキー５の［２キー］に対応し、［さ］の段のグループはテンキー５の［３キー］に対応し、［た］の段のグループはテンキー５の［４キー］に対応し、［な］の段のグループはテンキー５の［５キー］に対応し、［は］の段のグループはテンキー５の［６キー］に対応し、［ま］の段のグループはテンキー５の［７キー］に対応し、［や］の段のグループはテンキー５の［８キー］に対応し、［ら］の段のグループはテンキー５の［９キー］に対応し、［わ］の段のグループはテンキー５の［０キー］に対応するようになっている。
【００１６】
ここで、たとえば［ね］の文字を入力する場合、テンキー５の［５キー］を押すと（ステップ２０４）、ＣＰＵ１が図４に示すようにディスプレイ７に表示されている文字表１０の［な］の段のグループ枠１０ａを強調表示させるとともに、［な］の文字枠１０ｂを強調表示させる（ステップ２０５）。
【００１７】
続けて、［５キー］を押すと（ステップ２０６）、ＣＰＵ１が図５に示すように、［に］の文字枠１０ｂを強調表示させる（ステップ２０７）。続けて、［５キー］を押すと（ステップ２０８）、ＣＰＵ１が図６に示すように、［ぬ］の文字枠１０ｂを強調表示させる（ステップ２０９）。続けて、［５キー］を押すと（ステップ２１０）、ＣＰＵ１が図７に示すように、［ね］の文字枠１０ｂを強調表示させる（ステップ２１１）。これにより、［ね］の文字が選択される（ステップ２１２）。またここで、他のテンキー５が押されると、［ね］の文字が確定される。
【００１８】
次に、（ステップ２１３）にてポケベル入力方式が選択されると、ＣＰＵ１がポケベル入力方式の動作プログラムをＲＯＭ２から読込むことにより、入力方式がポケベル入力方式となる（ステップ２１４）。また、ＣＰＵ１は、ＲＯＭ２に格納されている上記の図３に示す文字表１０をディスプレイ７に表示させる（ステップ２１５）。
【００１９】
また、ポケベル入力方式では、上記同様に、文字表１０の各々の段のグループがテンキー５の［１キー］〜［０キー］に対応しているとともに、各グループ内の文字がテンキー５の［１キー］〜［５キー］に対応している。つまり、［な］の段のグループでは、［な］→テンキー５の［１キー］、［に］→テンキー５の［２キー］、［ぬ］→テンキー５の［３キー］、［ね］→テンキー５の［４キー］、［の］→テンキー５の［５キー］に対応している。他の段のグループも同様である。
【００２０】
ここで、上記同様に、［ね］の文字を入力する場合、テンキー５の［５キー］を押すと（ステップ２１６）、ＣＰＵ１が図８に示すように、ディスプレイ７に表示されている文字表１０の［な］の段のグループ枠１０ａを強調表示させる（ステップ２１７）。またここで、［ね］の文字は、上述したように、テンキー５の［４キー］に対応しているため、テンキー５の［４キー］を押すと（ステップ２１８）、ＣＰＵ１が図９に示すように、［ね］の文字枠１０ｂを強調表示させる（ステップ２１９）。これにより、［ね］の文字が選択される。またここで、他のテンキー５が押されると、［ね］の文字が確定される（ステップ２２０）。
【００２１】
なお、濁点文字、半濁点文字、英字、数字、半角数字、絵文字、記号等の他の文字を選択する場合には、文字切替キー４を操作するとともに、上記同様の手順によって行うことができる。
【００２２】
このように、本実施の形態では、ＣＰＵ１により、テンキー５の操作に応じてテンキー５に対応させた文字表１０をディスプレイ７に表示させ、テンキー５の操作に応じて文字表１０のグループ枠１０ａを強調表示させるるとともに、テンキー５の操作に応じてテンキー５に対応させたグループ枠１０ａ内の文字枠１０ｂを強調表示させるようにしたので、キーの配置を暗記していなくても、テンキー５を確認することなく直感的に文字位置を把握できるので、文字入力を容易に行うことができる。
【００２３】
なお、本実施の形態では、テンキー５の操作によって文字表１０のグループ枠１０ａ及び文字枠１０ｂを強調表示させる場合について説明したが、この例に限らず、たとえば図１０に示すように、テンキー５の操作に対応するグループ１０ｃのみをディスプレイ７に表示させることも可能である。この場合、グループ枠１０ａ及び文字枠１０ｂを強調表示させるようにしてもよい。また、この場合の文字の入力方法は上記同様である。つまり、テンキー５が１回目に押されてグループ１０ｃ内の文字が選択されるまでの間に限り、グループ１０ｃを表示させるようにすることである。
【００２４】
また、本実施の形態では、テンキー５の操作によって文字表１０のグループ枠１０ａ及び文字枠１０ｂを強調表示させる場合について説明したが、この例に限らず、グループ枠１０ａ及び文字枠１０ｂ内の領域を色で表示させることも可能である。この場合、グループ枠１０ａ内と文字枠１０ｂ内との色を変えることで、識別が容易となる。また、グループ枠１０ａ及び文字枠１０ｂ内の領域を模様を変えて表示させることも可能であり、この場合も識別が容易となる。
【００２５】
また、本実施の形態では、［あ］の段、［か］の段・・・毎にグループ化した場合について説明したが、この例に限らず、グループ化は適宜変更可能である。
【００２６】
また、本実施の形態では、携帯電話にカナ入力方式及びポケベル入力方式の機能を携帯電話に搭載した場合について説明したが、何れか一方の機能のみを搭載することも可能である。
【００２７】
また、本実施の形態での文字入力方法は、携帯電話に限らず、表示機能はあるが、キーの数が限られているものであればよく、たとえばパソコンのテンキーや、ディスプレイ付きの固定電話等にも利用することができる。また、ＴＶのリモコン等にも利用することができる。
【００２８】
また、本実施の形態では、文字表を用いて文字入力を行う場合について説明したが、この例に限らず、たとえば文字表の代わりに地図を表示し、テンキー５によって座標を指定したりすることも可能である。また、文字表の代わりに機能アイコンをならべた表を表示し、同様に、テンキー５にによって何れかの機能アイコンを選択したりすることも可能である。
【００２９】
【発明の効果】
以上の如く本発明に係る携帯用通信端末及びその文字入力方法によれば、テンキーの操作に応じてテンキーに対応させた文字表をディスプレイに表示させ、テンキーの操作に応じて文字表のグループを強調表示させるとともに、テンキーの操作に応じてテンキーに対応させたグループ内の文字を強調表示させるようにしたので、キーの配置を暗記していなくても、文字入力を容易に行うことができる。
【図面の簡単な説明】
【図１】本発明の携帯用通信端末の一実施の形態を示す図である。
【図２】図１の携帯用通信端末による文字入力方法を説明するための図である。
【図３】図１の携帯用通信端末による文字入力方法を説明するための図である。
【図４】図１の携帯用通信端末による文字入力方法を説明するための図である。
【図５】図１の携帯用通信端末による文字入力方法を説明するための図である。
【図６】図１の携帯用通信端末による文字入力方法を説明するための図である。
【図７】図１の携帯用通信端末による文字入力方法を説明するための図である。
【図８】図１の携帯用通信端末による文字入力方法を説明するための図である。
【図９】図１の携帯用通信端末による文字入力方法を説明するための図である。
【図１０】図１の携帯用通信端末の他の文字入力方法を説明するための図である。
【符号の説明】
１  ＣＰＵ
２  ＲＯＭ
３  ＲＡＭ
４  文字切替キー
５  テンキー
６  入力方式切替キー
７  ディスプレイ
１０  文字表
１０ａ  グループ枠
１０ｂ  文字枠
１０ｃ  グループ
【図１】
0003742351.tif 000002
【図２】
0003742351.tif 000003
【図３】
0003742351.tif 000004
【図４】
0003742351.tif 000005
【図５】
0003742351.tif 000006
【図６】
0003742351.tif 000007
【図７】
0003742351.tif 000008
【図８】
0003742351.tif 000009
【図９】
0003742351.tif 000010
【図１０】
0003742351.tif 000011